(57)【要約】【課題】カバーの装着ずみ携帯型情報端末で撮影した際、カバーにより閃光にともなう干渉が生じない映像となるカバーを提供すること。【解決手段】ベース部１と、このベース部の一側縁にヒンジ部２を介し開閉自在に設けた蓋部３とで形成した覆い体Ａと、この覆い体の上記ベース部の裏面側に上縁部が前記ベース部の上縁に対し出没するようガイド手段Ｃによりスライドガイドすると共に、表面側から嵌め込んだ撮影機能付携帯型情報端末を保持し、かつフラッシュの閃光に干渉されない材料で形成した扁平なボックスＢと、このボックスの上方に突出する上縁部で上記情報端末のレンズに合致する部分に設けた貫窓６とからなる構成を採用する。【選択図】図１
0003198976.tif 000002
【実用新案登録請求の範囲】
【請求項１】
ベース部と、このベース部の一側縁にヒンジ部を介し開閉自在に設けた蓋部とで形成した覆い体と、この覆い体の上記ベース部の裏面側に上縁部が前記ベース部の上縁に対し出没するようガイド手段によりスライドガイドすると共に、表面側から嵌め込んだ撮影機能付携帯型情報端末を保持し、かつフラッシュの閃光に干渉されない材料で形成した扁平なボックスと、このボックスの上方に突出する上縁部で上記情報端末のレンズに合致する部分に設けた貫窓とで構成したことを特徴とする携帯型情報端末用カバー。
【請求項２】
前記ボックスを出没位置で停止するように設けた仮止め停止手段を設けたことを特徴とする請求項１に記載の携帯型情報端末用カバー。
【考案の詳細な説明】
【技術分野】
【０００１】
この考案は、撮影機能を有する携帯型情報端末用カバーに関する。
【背景技術】
【０００２】
スマートフォンやタブレット型端末は、周知のようにカメラ（撮影）機能が具備されており、そして端末を保護するためなどの目的によりカバーを装置して携行する。
【０００３】
勿論、カバーのカメラ機能のレンズと合致する部分には、窓（カメラホール）が設けてある（特許文献１及び２参照）。
【先行技術文献】
【特許文献】
【０００４】
【特許文献１】実用新案登録第３１９２５４７号公報
【特許文献２】特開２０１４−１５５１３５号公報
【考案の概要】
【考案が解決しようとする課題】
【０００５】
ところで、特許文献１及び２のカバーは、カバーに窓を設けてあるので、撮影にともないフラッシュの閃光によりカバーの材料の色が反射し、この反射した色が干渉して映像に取り込まれて映像が見苦しくなるなどの問題が発生した。
そこで、この考案は、上述の問題を解消したカバーを提供することにある。
【課題を解決するための手段】
【０００６】
上記の課題を解決するために、この考案は、ベース部と、このベース部の一側縁にヒンジ部を介し開閉自在に設けた蓋部とで形成した覆い体と、この覆い体の上記ベース部の裏面側に上縁部が前記ベース部の上縁に対し出没するようガイド手段によりスライドガイドすると共に、表面側から嵌め込んだ撮影機能付携帯型情報端末を保持し、かつフラッシュの閃光に干渉されない材料で形成した扁平なボックスと、このボックスの上方に突出する上縁部で上記情報端末のレンズに合致する部分に設けた貫窓とからなる構成を採用する。
【０００７】
また、ボックスを出没位置で停止するように設けた仮止め停止手段を設けた構成を採用する。
【考案の効果】
【０００８】
以上のように、この考案のカバーによれば、撮影に際し携帯型情報端末に指先を押し付けて上方にプッシュする。
【０００９】
すると、ボックスと共に携帯型情報端末が上方にスライドして、窓がベース部の上縁から突出（露出）して撮影可能な状況になると共に、ボックスが撮影にともなうフラッシュの閃光に干渉されない材質のため、取り込まれた映像が見苦しくなるような不都合をなくすることができる。
【００１０】
また、停止手段によりボックスを定位置に停止することができるので、ベース部の上縁に対し窓の一部が隠蔽されないので、良好な撮影ができる。すなわち、取り込んだ映像に不都合が発生しない。
【図面の簡単な説明】
【００１１】
【図１】この考案のカバーを示す分解斜視図である。
【図２】組み立てたカバーの正面図である。
【図３】同上の縦断拡大側面図である。
【図４】ボックスを突出方向にスライドさせた状態の縦断拡大側面図である。
【図５】横断平面図である。
【図６】同上の要部を示す横断拡大平面図である。
【図７】ボックスのスライド範囲を示す縦断拡大側面図である。
【図８】覆い体を閉じた一部切欠横断平面図である。
【考案を実施するための形態】
【００１２】
次にこの考案の実施形態を添付図面に基づいて説明する。
この考案の図１から図８に示すＡは、保持した携帯型情報端末ａを収納するカバーの覆い体である。
【００１３】
この覆い体Ａは、例えば二枚の重ね合わせた軟質な合成樹脂シートやその他の例えば合成皮革の周縁をシール（例えば溶着などにより）し、かつ内部に厚紙などの芯板を封じ込んだベース部１と、このベース部１の一側縁にヒンジ部２を介し開閉自在に設けた蓋部３とで構成されている。
【００１４】
なお、ヒンジ部２は、細幅な帯状部の両側縁と連なるベース部１及び蓋部３との境とが折れ線となるように構成され、上記覆い体Ａは、上述の形式に限定されず、その他の構成によって形成することができる。
【００１５】
また、ベース部１の裏面側には、ベース部１の上縁に対し上部が出没自在にスライドするようにガイド手段Ｃによりガイドされると共に、開放する表面側から嵌め込んだ撮影機能付携帯型情報端末ａが保持されるボックスＢが設けてある。
【００１６】
このボックスＢは、底板４と、この底板４の周縁から連なって底板４の表面側に突出する周辺板５とで構成され、この底板４の上部で、嵌め込み保持させた携帯型情報端末ａの撮影機能としてのレンズ（図示省略）に合致する部分には、窓６が設けてある。
【００１７】
なお、ボックスＢは、撮影にともなうフラッシュの閃光に干渉されない無色の透明な合成樹脂製成型品などが望ましい。
【００１８】
上記のガイド手段Ｃとしては、図示の場合ベース部１の裏面側に接着剤などにより固定した板状体７の両側縁に設けた蟻溝８と、この蟻溝８に押し込みによりスライド自在に係合するようボックスＢの底板４の両側縁から突出させた突出条９とで構成したが、限定されず、その他の方式によりスライドするようにガイドしてもよい。
【００１９】
なお、図４、５、６に示すように、板状体７と底板４との重なり面一方に膨出部１０を設けて、重なり面の摩擦抵抗を著しく減少することで、弱い力でのスムーズなスライドを保障することができる。
【００２０】
また、突出条９の上位端と下位端とを上下の段部１１に当接するように（図７にしめす）しておくと、スライドさせたボックスＢの出没停止位置を規制することができる。
【００２１】
上記のように構成することで、ボックスＢに撮影機能付携帯型情報端末ａを嵌め込みセットした状況下での撮影に際し、上方に携帯型情報端末ａとボックスＢを上方にスライドさせる。
【００２２】
すると、覆い体Ａのベース部１の上縁に対し携帯型情報端末ａの撮影レンズと共に窓６が上方に突出して露出する。
【００２３】
なお、撮影しないときは、携帯型情報端末ａと共にボックスＢを下方にスライドさせて、レンズと共に窓６をベース部１により隠蔽しておく。
また、ボックスＢを仮止め停止手段Ｅにより出没位置で停止するようにしておく。
【００２４】
上記の仮止め停止手段Ｅとしては、例えば図４、図１に示すように、板状体７とボックスＢの底板４の対向面一方の上下に設けた凹入部２１を、もう一方に突起２２を設けて行うようにしたが、限定されず、その他の形式を採用することもある。
【００２５】
すると、ボックスＢを突出方向にスライドした際、また没入方向にスライドした際、正確に停止し、撮影の際のボックスＢの没入方向のスライドや、覆い体Ａに納まったボックスＢの突出方向のスライドがない。
【００２６】
なお、図１、図８に示すように、ヒンジ３１により折れ曲がる止め片３２を設けて、この止め片３２の自由端側と蓋部３との重なり面に係着部３３、例えば一方に鉄片、他方に磁石や、雌雄の係止部を設けておくと、蓋部３の開放を止めることができる。
図中４０は周辺板５に設けた携帯型情報端末ａの操作窓である。
【符号の説明】
【００２７】
Ａ  覆い体
ａ  携帯型情報端末
Ｂ  ボックス
Ｃ  ガイド手段
Ｅ  停止手段
１  ベース部
２  ヒンジ部
３  蓋部
４  底板
５  周辺板
６  窓
７  板状体
８  蟻溝
９  突出条
１０  膨出部
１１  段部
２１  凹入部
２２  突起
３１  ヒンジ
３２  止め片
３３  係着具
【図１】
0003198976.tif 000003
【図２】
0003198976.tif 000004
【図３】
0003198976.tif 000005
【図４】
0003198976.tif 000006
【図５】
0003198976.tif 000007
【図６】
0003198976.tif 000008
【図７】
0003198976.tif 000009
【図８】
0003198976.tif 000010